(57)【特許請求の範囲】
【請求項１】
主幹ブレーカ(1) の二次側端子(1b)に接続した主幹バー(2) の側方に多数の分岐ブレーカ(3) と主幹ブレーカ(1) の一次側端子(1a)又は主幹ブレーカ(1) の電源線と接続する一次側端子部(4a)と二次側端子部(4b)とを対向させて前後面側に設けてなる一次送り回路の分岐ブレーカ(4) を該分岐ブレーカ(4)の一次側端子部(4a)を主幹バー(2)に臨ませて並設し、該一次送り回路の分岐ブレーカ(4) の二次側端子(4b)の電線挿入口(4c)が臨む上部箇所に中継端子台(5) を設置して該中継端子台(5) の二次側端子(5b)と一次送り回路の分岐ブレーカ(4)の一次側端子(4a)とを接続して、該中継端子台(5) の一次側端子(5a)と前記主幹ブレーカ(1) の一次側端子(1a)又は主幹ブレーカ(1) の電源線(6)とを電線(10)により接続したことを特徴とする分電盤。
【請求項２】
中継端子台（５）  の二次側端子（５ａ）と一次送り回路の分岐ブレーカ（４）  の一次側端子（４ａ）とを銅バー（７）  、（７）  により接続した請求項１に記載の分電盤。
【請求項３】
銅バー（７）  、（７）  を一次送り回路の分岐ブレーカ（４）  の両側面に沿わせた請求項２に記載の分電盤。
【請求項４】
銅バー（７）  、（７）  を一次送り回路の分岐ブレーカ（４）  の両側面に高さを変えて沿わせた請求項２に記載の分電盤。
【請求項５】
銅バー（７）  、（７）  を一次送り回路の分岐ブレーカ（４）  の一側面に高さを変えて沿わせた請求項２に記載の分電盤。
【請求項６】
銅バー（７）  、（７）  を一次送り回路の分岐ブレーカ（５）  の底側面に配設した請求項２に記載の分電盤。
【請求項７】
分岐ブレーカ（４）  側面に沿わせた銅バー（７）  、（７）  を絶縁被覆する充電部保護カバー（９）  、（９）  を中継端子台（６）  を絶縁被覆する端子台カバー（８）  と一体に設けた請求項３又は４又は５又は６のいずれかに記載の分電盤。
【請求項８】
中継端子台（５）  を該中継端子台（５）  に張設した取付片部（５１）を一次送り回路の分岐ブレーカ（４）  の取付孔（４１）の上部凹陥部（４２）に嵌合したうえ分岐ブレーカ取付用のねじをもって取り付けられている請求項１又は２又は３又は４又は５又は６又は７のいずれかに記載の分電盤。
【発明の詳細な説明】
【０００１】
【発明の属する技術分野】
本発明は、主幹ブレーカの二次側端子と接続した分岐ブレーカと主幹ブレーカの一次側端子又は主幹ブレーカの電源線と直接接続した一次送り回路の分岐ブレーカを主幹バーの側部に並設した分電盤に関するものである。
【０００２】
【従来の技術】
火災報知器、非常灯等の非常用電源の分岐ブレーカは主幹ブレーカが遮断された状態でも火災報知器等が的確に機能するように主幹ブレーカの一次側端子に接続した一次送り回路としている。そのため、従来の分電盤にあっては図６に示すように主幹バー２１の側部に並設した分岐ブレーカ２２の一部を火災報知器、非常灯等の非常用回路の一次送り回路の分岐ブレーカ２２ａとして主幹バー２１に臨む該分岐ブレーカ２２ａの一次側端子２３に主幹ブレーカ２４の一次側端子２４ａに接続した電線２５を引き回して接続するものであった。
【０００３】
【発明が解決しようとする課題】
ところが、前記のような従来のものは、電線２５を主幹ブレーカ２４の一次側端子２４ａから主幹バー２１に臨む分岐ブレーカ２２ａの一次側端子２３に接続するものであるため、主幹バー２１が邪魔となり接続作業が厄介であり、分岐回路の左端または右端しかできなかった。
【０００４】
【課題を解決するための手段】
前記の課題を解決するためになされた本発明は、主幹ブレーカの二次側端子に接続した主幹バーの側方に多数の分岐ブレーカと主幹ブレーカの一次側端子又は主幹ブレーカの電源線と接続する一次側端子部(4a)と二次側端子部(4b)とを対向させて前後面側に設けてなる一次送り回路の分岐ブレーカを該分岐ブレーカの一次側端子部を主幹バーに臨ませて並設し、該一次送り回路の分岐ブレーカの二次側端子の電線挿入口が臨む上部箇所に中継端子台を設置して該中継端子台の二次側端子と一次送り回路の分岐ブレーカの一次側端子とを接続して、該中継端子台の一次側端子と前記主幹ブレーカの一次側端子又は主幹ブレーカの電源線とを電線により接続したことを特徴とするものである。
【０００５】
【発明の実施の形態】
次に、本発明の好ましい実施の形態を図面に基づき説明する。
１は主幹ブレーカであり、該主幹ブレーカ１の二次側端子１ｂには主幹バー２が接続されている。この主幹バー２の側部には該主幹バー２と接続する一次側端子３ａを臨ませた電灯用、電力用の多数の分岐ブレーカ３と前記主幹ブレーカ１の一次側端子１ａと接続する一次側端子４ａを臨ませた火災報知器、非常灯等の非常回路用の一次送り回路の分岐ブレーカ４が該分岐ブレーカ４の一次側端子部４ａを主幹バー２に臨ませて並設されている。この一次送り回路の分岐用ブレーカ４は一次側端子部(4a)と二次側端子部(4b)とを対向させて前後面側に設けてなるのである。なお、一次送り回路用の分岐ブレーカ４は電灯用、電力用の分岐ブレーカ３と同一規格又は外郭を同一としたものである。
【０００６】
５は前記の一次送り回路用の分岐ブレーカ４の一次側端子４ａと前記主幹ブレーカ１の一次側端子１ａ又は該主幹ブレーカ１の電源線６との間に介在させた中継端子台であり、該中継端子台５は一次送り回路の分岐ブレーカ４の二次側端子４ｂの近傍即ち二次側端子４ｂの電線挿入口４ｃが臨む上部箇所に取付片部５１を分岐ブレーカ４の取付孔４１の上部凹陥部４２に嵌合したうえ分岐ブレーカ取付用のねじをもって取り付けられている。そして、この中継端子台５は一次側端子５ａの電線挿入口５ｃを分岐ブレーカ４の二次側端子４ｂの電線挿入口４ｃと同一方向とし、二次側端子５ｂから分岐ブレーカ４の一次側端子４ａに対応する位相の極に銅バー７、７を引き回し接続している。
【０００７】
この銅バー７、７は分岐ブレーカ４の側面に沿わせており、図１、図２及び図３に示すものは分岐ブレーカ４の両側面に２極の銅バー７、７をそれぞれ同一の高さとして銅バー７、７の先端に折曲形成した接続爪７ａ、７ａを分岐ブレーカ４の一次側端子４ａ、４ａに接続している。また、図４に示すものは分岐ブレーカ４の両側面に２極の銅バー７、７を異なる高さとして沿わせるものであり、また、図５に示すものは分岐ブレーカ４の一側面に２極の銅バー７、７を異なる高さとして沿わせるものである。さらに、図示を略したが２極の銅バー７、７を分岐ブレーカ４の底側面に配設してもよい。
【０００８】
また、図２に示す８は前記中継端子台５を絶縁被覆する端子台カバーであり、該端子台カバー８には分岐ブレーカ４の両側面に沿わせた銅バー７、７を絶縁被覆する充電部保護カバー９、９が一体に設けられている。この端子台カバー８を図３のもの、図４のもの図示を略した分岐ブレーカの底面側に２極の銅バーを設けたものに対応させてもよい。なお、充電部保護カバー９、９は端子台カバー８とは別体であってもよいことは勿論である。
【０００９】
このように構成されたものは、主幹ブレーカ１の二次側端子１ｂに接続した主幹バー２の側方に多数の分岐ブレーカ３と一次送り回路の分岐ブレーカ４が並設されている。そして、各分岐ブレーカ３の一次側端子３ａは主幹バー２に接続されているが、一次送り回路の分岐ブレーカ４は主幹バー２に臨ませた電源用端子４ａを該一次送り回路の分岐ブレーカ４の二次側端子４ｂの近傍に設置した中継端子台５の二次側端子５ｂに銅バー７、７により接続されているので、該中継端子台５の一次側端子５ａに主幹ブレーカ１の一次側端子１に接続した電線１０を引回して接続すればよいので配線作業用のスペースが確保でき配線作業が容易となるものである。
【００１０】
また、電線１０を主幹バー２の近傍に引き回す必要がないので一次送り回路の分岐ブレーカ４を主幹ブレーカ１から離れた箇所への設置や複数設置することが容易となるものである。前記中継端子台５は分岐ブレーカ４の二次側端子４ｂの電線挿入口４ｃが臨む上部箇所に取付片部５１を分岐ブレーカ４の取付孔４１の上部凹陥部４２に嵌合したうえ分岐ブレーカ取付用のねじをもって取り付けることにより中継端子台５の取り付けが容易となる。また、中継端子台５の二次側端子５ｂから分岐ブレーカ４の一次側端子４ａに対応する位相の極に引き回し接続には銅バー７、７をもって行うことにより、中継端子台５の二次側端子５ｂと分岐ブレーカ４の一次側端子４ａとのはめ込み作業が簡単となる。
【００１１】
なお、銅バー７、７を図１、図２及び図３に示すように分岐ブレーカ４の両側面にそれぞれ同一の高さとして引き回すことにより構造が簡単なものでる。また、銅バー７、７を図４に示すように分岐ブレーカ４の両側面に２極の銅バー７、７を異なる高さとして沿わせれば、一次送り回路の分岐ブレーカ４を複数個並設した場合に隣合う分岐ブレーカ４の銅バー７、７が上下に絶縁距離を確保して設置できるうえ隣合う分岐ブレーカ４、４の間隔を一枚の銅バー７の厚さ分とすることがで設置スペースを狭くすることができるものである。また、図５に示すように分岐ブレーカ４の一側面に２極の銅バー７、７を異なる高さとして沿わせることにより上下の銅バー７、７は絶縁を確保できるうえ複数個を並設した場合に銅バー７、７には隣合う分岐ブレーカ４の他側面が臨むので隣合う分岐ブレーカ４、４の銅バー７、７の絶縁に配慮する必要がないうえ前記の図４に示すのと同様設置スペースを狭くすることができるものである。
【００１２】
さらに、銅バー７、７を絶縁被覆する充電部保護カバー９、９を端子台カバー８に一体に設けるこにより、充電部保護カバー９、９の銅バー７、７へのセットが容易となるものである。特に、図２に示す端子カバー８に分岐ブレーカ４の両側面に沿わせた銅バー７、７を絶縁被覆する充電部保護カバー９、９が一体に設けものにあっては端子カバー８を中継端子台５にセットすることにより充電部保護カバー９、９を自動的にセットでき作業効率が一層よくなるものである。
【００１３】
【発明の効果】
以上に説明したように、本発明の分電盤は一次送り回路の分岐ブレーカの一次側端子を該分岐ブレーカの二次側端子の電線挿入口が臨む上部箇所に設置した中継端子台の二次側端子と接続して、作業用スペースを広く確保できる中継端子台の一次側端子と主幹ブレーカの一次側端子又は主幹ブレーカの電源線とを電線により接続するものであるから配線作業が容易となるものである。
従って、従来の一次送りの回路の分岐ブレーカを組み込んだ分電盤の問題点を解決したものとして業界にもたらす益大なものである。
【図面の簡単な説明】
【図１】本発明の実施の形態を示す一部切欠正面図である。
【図２】本発明の実施の形態に使用する一次送り回路の分岐ブレーカと中継端子台を示す斜視図である。
【図３】本発明の実施の形態に使用する一次送り回路の分岐ブレーカと中継端子台を示す図であり、（イ）は正面図、（ロ）は側面図である。
【図４】本発明の実施の形態に使用する銅バーの他例を示す斜視図である。
【図５】本発明の実施の形態に使用する銅バーの他例を示す斜視図である。
【図６】従来例を示す一部切欠正面図である。
【符号の説明】
１  主幹ブレーカ
１ａ  一次側端子
１ｂ  二次側端子
２  主幹バー
３  分岐ブレーカ
４  一次送り回路の分岐ブレーカ
４ａ  一次側端子
４ｂ    二次側端子
５  中継端子台
５ａ  一次側端子
５ｂ    二次側端子
６  電源線
７  銅バー
８  端子台カバー
９  充電部カバー
【図１】
0003562792.tif 000002
【図２】
0003562792.tif 000003
【図３】
0003562792.tif 000004
【図４】
0003562792.tif 000005
【図５】
0003562792.tif 000006
【図６】
0003562792.tif 000007